Podtech/llm-jp-corpus-v4-ja_patent huggingface dataset:
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
対話型ホワイトボード共有を実現するために少なくとも部分的にコンピュータデバイスで実行される方法であって、
ホワイトボードのインターフェイスに表示されるコンテンツを１または複数のクライアントデバイスと共有する要求を検出する工程と、
前記ホワイトボードと前記１または複数のクライアントデバイスとの間の接続を確立する工程と、
前記ホワイトボードの前記コンテンツを前記１または複数のクライアントデバイスと共有する工程と、
前記１または複数のクライアントデバイスで提供された前記ホワイトボードへの入力を検出する工程と、
前記１または複数のクライアントデバイスで検出された前記入力で、前記ホワイトボードの前記インターフェイスを更新する工程と、
２人以上の利用者による前記ホワイトボードの前記インターフェイスでの直接的な他の入力を検出する工程と、
前記ホワイトボードへの前記入力を区別して前記入力の発信元を示す工程と、
前記１または複数のクライアントデバイスの１または複数の共有された前記コンテンツと、前記１または複数のクライアントデバイスの前記インターフェイスとを前記ホワイトボードの前記インターフェイスに表示させるデスクトップ共有を、前記ホワイトボードの前記インターフェイスに提供する工程と、
を含む方法。
【請求項２】
前記ホワイトボードの更新された前記インターフェイスを前記１または複数のクライアントデバイスと共有する工程をさらに含む請求項１に記載の方法。
【請求項３】
前記入力が、前記２人以上の利用者により、電子ペン、スタイラス、マウス、キーボード、ジェスチャ、およびタッチ入力の１または複数を利用して、前記ホワイトボードの前記インターフェイスに直接提供される請求項１に記載の方法。
【請求項４】
前記ホワイトボードへの前記入力を区別して前記入力の発信元を示す前記工程が、
テキスト表示およびグラフィック表示のいずれかまたは両方を利用して前記入力の前記発信元を示す工程
をさらに含む請求項１に記載の方法。
【請求項５】
命令を格納するメモリと、
前記メモリに接続され、対話型ホワイトボード共有アプリケーションを実行するプロセッサと
を含む、対話型ホワイトボード共有を実現するためのコンピュータデバイスであって、前記対話型ホワイトボード共有アプリケーションが、
ホワイトボードのインターフェイスに表示されるコンテンツを１または複数のクライアントデバイスと共有する要求を検出し、
前記ホワイトボードと前記１または複数のクライアントデバイスとの間の接続を確立し、
前記ホワイトボードの前記コンテンツを前記１または複数のクライアントデバイスと共有し、
前記１または複数のクライアントデバイスで提供された前記ホワイトボードへの入力を検出し、
前記１または複数のクライアントデバイスで検出された前記入力で、前記ホワイトボードの前記インターフェイスを更新し、
前記ホワイトボードの更新された前記インターフェイスを前記１または複数のクライアントデバイスと共有し、
２人以上の利用者による前記ホワイトボードの前記インターフェイスでの直接的な他の入力を検出し、
前記ホワイトボードへの前記入力を区別して前記入力の発信元を示し、
前記１または複数のクライアントデバイスの１または複数の共有された前記コンテンツと、前記１または複数のクライアントデバイスの前記インターフェイスとを前記ホワイトボードの前記インターフェイスに表示させるデスクトップ共有を、前記ホワイトボードの前記インターフェイスに提供する
ように構成されているコンピュータデバイス。
【請求項６】
前記ホワイトボードと前記１または複数のクライアントデバイスとの間に確立された前記接続が、有線接続、無線接続、およびネットワーク接続の１または複数である請求項５に記載のコンピュータデバイス。
【請求項７】
対話型ホワイトボード共有を実現するための命令が格納されたコンピュータ可読メモリデバイスであって、前記命令が、
ホワイトボードのインターフェイスに表示されるコンテンツを１または複数のクライアントデバイスと共有する要求を検出する命令と、
前記ホワイトボードと前記１または複数のクライアントデバイスとの間の接続を確立する命令と、
前記ホワイトボードの前記コンテンツを前記１または複数のクライアントデバイスと共有する命令と、
前記１または複数のクライアントデバイスで提供された前記ホワイトボードへの入力を検出する命令であって、前記入力が、選択、移動行為、サイズ変更行為、書式設定行為、
新たに生成されたコンテンツ、および前記ホワイトボードにより共有される既存のコンテンツの編集の１または複数である命令と、
前記１または複数のクライアントデバイスで検出された前記入力で、前記ホワイトボードの前記インターフェイスを更新する命令と、
前記ホワイトボードの更新された前記インターフェイスを前記１または複数のクライアントデバイスと共有する命令と、
２人以上の利用者による前記ホワイトボードの前記インターフェイスでの直接的な他の入力を検出する命令と、
前記ホワイトボードへの前記入力を区別して前記入力の発信元を示す命令と、
前記１または複数のクライアントデバイスの１または複数の共有された前記コンテンツと、前記１または複数のクライアントデバイスの前記インターフェイスとを前記ホワイトボードの前記インターフェイスに表示させるデスクトップ共有を、前記ホワイトボードの前記インターフェイスに提供する命令と
を含むコンピュータ可読メモリデバイス。
【請求項８】
前記命令が、
前記ホワイトボードの前記コンテンツを前記１または複数のクライアントデバイスと共有することと連動した音声／視覚対話を実現するテレプレゼンスコラボレーションを実現するために、前記ホワイトボードを１または複数のビデオプロジェクタと接続する命令
をさらに含む請求項７に記載のコンピュータ可読メモリデバイス。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
実行パイプライン内のサブルーチンリターン命令のための分岐ターゲット命令キャッシュ(BTIC)エントリを確立する方法であって、前記BTICエントリは、次の命令フェッチアドレスフィールドおよび分岐ターゲット命令フィールドを含み、前記方法は、
実行パイプラインにおいてサブルーチン呼出し命令を検出するステップと、
前記サブルーチン呼出し命令を検出したことに応じて、サブルーチンリターン命令のための前記BTICエントリを確立するステップであって、
前記サブルーチン呼出し命令の次に続くフェッチされた少なくとも1つの順次命令を前記サブルーチンリターン命令のための前記BTICエントリの前記分岐ターゲット命令フィールド内の分岐ターゲット命令として書くことと、
前記実行パイプライン内の前記分岐ターゲット命令に続く次の命令のアドレスに対応する次の命令フェッチアドレスを計算することと、
前記次の命令フェッチアドレスを前記サブルーチンリターン命令のための前記BTICエントリ内の前記次の命令フェッチアドレスフィールドに書き込むこととによって、
確立するステップとを含む、方法。
【請求項２】
前記サブルーチンリターン命令は、前記サブルーチン呼出し命令によって呼び出されたサブルーチンからのリターンを指示する、請求項1に記載の方法。
【請求項３】
前記少なくとも1つの順次命令は非分岐命令であり、
前記次の命令フェッチアドレスを計算するステップは、前記少なくとも1つの順次命令の最後の命令に続く前記次の命令の前記アドレスを計算するステップを含む、または、
前記少なくとも1つの順次命令の最後の命令は分岐命令であり、
前記次の命令フェッチアドレスを計算するステップは、前記分岐命令のターゲット命令のアドレスを計算するステップを含む、請求項1に記載の方法。
【請求項４】
前記少なくとも1つの順次命令の最後の命令に先行する前記少なくとも1つの順次命令のうちの1つまたは複数の命令は分岐命令であり、
前記分岐命令のターゲット命令は非分岐命令であり、
前記次の命令フェッチアドレスを計算するステップは、前記分岐命令の前記ターゲット命令に続く前記次の命令の前記アドレスを計算するステップを含む、請求項1に記載の方法。
【請求項５】
前記BTICエントリを確立するステップは、前記BTICエントリが有効であることを指示するために、前記BTICエントリに対応する有効性指示子を設定するステップをさらに含む、請求項1に記載の方法。
【請求項６】
前記サブルーチン呼出し命令を検出するステップは、前記実行パイプライン内の復号化ステージにおいて前記サブルーチン呼出し命令を検出するステップを含む、請求項1に記載の方法。
【請求項７】
前記実行パイプライン内で前記サブルーチンリターン命令を検出するステップと、
前記サブルーチンリターン命令を検出するのに応じて、
前記サブルーチンリターン命令のためのBTICヒットを検出するステップと、
前記実行パイプラインのフェッチステージに前記サブルーチンリターン命令のための前記BTICエントリ内の前記次の命令フェッチアドレスフィールドから前記次の命令フェッチアドレスを与えるステップと、
前記フェッチステージに続く前記実行パイプラインの後続のステージに前記サブルーチンリターン命令のための前記BTICエントリから前記少なくとも1つの順次命令を与えるステップとをさらに含む、請求項1に記載の方法。
【請求項８】
前記サブルーチンリターン命令のための前記BTICヒットを検出するステップは、前記サブルーチンリターン命令のための前記BTICエントリに対応する有効性指示子に基づいて、前記サブルーチンリターン命令のための前記BTICエントリが有効であることを判断するステップを含む、請求項7に記載の方法。
【請求項９】
前記サブルーチンリターン命令を検出するステップは、前記実行パイプライン内の復号化ステージにおいて前記サブルーチンリターン命令を検出するステップを含む、請求項8に記載の方法。
【請求項１０】
前記次の命令フェッチアドレスは、前記少なくとも1つの順次命令の最後の命令の直後の前記次の命令の前記アドレスを含む、請求項1に記載の方法。
【請求項１１】
前記サブルーチンリターン命令のための前記BTICエントリは、前記サブルーチン呼出し命令のリターンアドレスを記憶するリンクスタックエントリに対応する、請求項1に記載の方法。
【請求項１２】
前記サブルーチン呼出し命令は、前記サブルーチン呼出し命令のリターンアドレスをリンクレジスタ(LR)に入れ、プログラムカウンタをサブルーチンの命令アドレスに設定するように動作する分岐およびリンク(BL)命令を含む、請求項1に記載の方法。
【請求項１３】
前記サブルーチンリターン命令は、プログラムカウンタを前記サブルーチン呼出し命令のリターンアドレスに設定するためのリンクへの分岐(BLR)命令を含む、請求項1に記載の方法。
【請求項１４】
実行パイプラインにおいてサブルーチン呼出し命令を検出するための手段と、
サブルーチンリターン命令のための分岐ターゲット命令キャッシュ(BTIC)エントリを確立するための手段であって、前記BTICエントリは、次の命令フェッチアドレスフィールドおよび分岐ターゲット命令フィールドを含み、前記BTICエントリは、前記サブルーチン呼出し命令を検出したことに応じて確立される、手段とを備え、前記確立するための手段は、
前記サブルーチン呼出し命令の次に続くフェッチされた少なくとも1つの順次命令を前記サブルーチンリターン命令のための前記BTICエントリの前記分岐ターゲット命令フィールド内の分岐ターゲット命令として書くための手段と、
前記実行パイプライン内の前記分岐ターゲット命令に続く次の命令のアドレスに対応する次の命令フェッチアドレスを計算するための手段と、
前記次の命令フェッチアドレスを前記サブルーチンリターン命令のための前記BTICエントリ内の前記次の命令フェッチアドレスフィールドに書き込むための手段とを備える、パイプラインバブル低減回路。
【請求項１５】
プロセッサに、請求項1から13のいずれか一項に記載の方法を実行させるコンピュータ実行可能命令をその上に記憶している、コンピュータ可読記憶媒体。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
発光する少なくとも１つの発光素子と、
光出射部と多角形断面を有する細長い中空基部とを有するハウジングと、
前記ハウジングの内部に挿入され、前記内部で固定される熱伝導性材料の折り畳みシートから形成される熱伝達装置と、
を含み、
前記熱伝達装置は、
前記少なくとも１つの発光素子が第１のセクション上に配置され、発光の際に前記少なくとも１つの発光素子から生成される熱を受け取る前記第１のセクションと、
前記ハウジングの内部に固定されると、生成された熱が前記ハウジングに熱伝達されるように前記ハウジングの前記細長い中空基部の内面と当接するように形成される外面を有する第２のセクションと、
を含む、照明デバイス。
【請求項２】
前記熱伝達装置の前記第２のセクションの内面は、前記少なくとも１つの発光素子を制御する電気ドライバ回路を受ける、請求項１に記載の照明デバイス。
【請求項３】
前記熱伝達装置は、前記熱伝導性材料の一枚のシートから形成される、請求項１又は２に記載の照明デバイス。
【請求項４】
前記熱伝達装置に対し中心に配置され、前記熱伝達装置が前記ハウジング内に固定されると、前記熱伝達装置の前記第２のセクションの内面に外向きの圧力を提供するコアコンポーネントを更に含む、請求項１乃至３の何れか一項に記載の照明デバイス。
【請求項５】
前記熱伝達装置の前記第１のセクションは、前記ハウジングの内部に固定されると、前記ハウジングの前記光出射部内で突出する、請求項１乃至４の何れか一項に記載の照明デバイス。
【請求項６】
前記熱伝達装置の前記第１のセクションは、前記熱伝達装置の前記第２のセクションに対して所定の内向角に配置される、請求項５に記載の照明デバイス。
【請求項７】
前記熱伝達装置の前記第１のセクションは、少なくとも１つの発光素子を取付けるために構成され、前記熱伝達装置の前記第２のセクションに対し第２の内向角に配置される延長部を含む、請求項１乃至６の何れか一項に記載の照明デバイス。
【請求項８】
前記熱伝達装置の前記第１のセクションの前記内向角は、前記熱伝達装置の前記第２のセクションに対して制御可能である、請求項６に記載の照明デバイス。
【請求項９】
前記照明デバイスの前記光出射部を介して均一な光強度分布を出力するように、前記熱伝達装置の前記第１のセクションの前記内向角は、２０°乃至８０°である、請求項６又は８に記載の照明デバイス。
【請求項１０】
前記ハウジングは、ガラス、プラスチック、セラミック又はこれらの任意の組み合わせで作られている、請求項１乃至９の何れか一項に記載の照明デバイス。
【請求項１１】
前記熱伝達装置の前記第２のセクションの前記外面と前記ハウジングの前記細長い中空基部の前記内面との間に挟まれる熱界面材料層を更に含む、請求項１乃至１０の何れか一項に記載の照明デバイス。
【請求項１２】
発光する少なくとも１つの発光素子を提供するステップと、
光出射部と多角形断面を有する細長い中空基部とを有するハウジングを提供するステップと、
前記少なくとも１つの発光素子が配置される第１のセクションと、前記少なくとも１つの発光素子によって生成された熱を前記ハウジングに伝達する第２のセクションとを含み、折り畳み可能な熱伝導性シートで作られた熱伝達装置を提供するステップと、
前記熱伝達装置が前記ハウジングの前記細長い中空基部の前記多角形断面に一致するように、前記熱伝達装置を折り畳むステップと、
前記熱伝達装置を前記ハウジング内に挿入するステップと、
前記ハウジングの前記細長い中空基部の内面に当接するように前記熱伝達装置の外面を配置するステップと、
を含む、照明デバイスを形成する方法。
【請求項１３】
前記熱伝達装置の前記第１のセクションを、前記熱伝達装置の前記第２のセクションに対し所定の内向角に配置するステップを更に含む、請求項１２に記載の方法。
【請求項１４】
前記熱伝達装置がコアコンポーネントの周りに折り畳まれて、中心に配置される前記コアコンポーネントを提供するステップを更に含み、前記コアコンポーネントは、前記熱伝達装置が前記ハウジングの内部に固定されると、前記熱伝達装置の前記第２のセクションの内面に外向きの圧力を提供する、請求項１２又は１３に記載の方法。
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
装置であって、当該装置は：
可変電流を受け取るように構成された少なくとも１つの巻線を有するコイル組立体と；
複数のセグメントを含むコアであって、前記少なくとも１つの巻線は、前記セグメントの一部に巻回されており、且つ磁束を発生するように構成される、コアと；
前記コイル組立体又はコアを冷却するために、前記コイル組立体又はコアを通して冷却媒体を輸送するように構成された少なくとも１つの冷却流路と；を備える、
装置。
【請求項２】
前記コアのセグメントの部分は、前記コアを通る複数の冷却流路を形成するように互いに分離されており、
前記複数の冷却流路は、前記コアを通して冷却媒体を輸送するように構成される、
請求項１に記載の装置。
【請求項３】
前記コアの少なくとも一部のセグメントは、前記セグメントの分離を維持するとともに、前記冷却流路を形成するために、前記コアの隣接するセグメントに接触するような突起部を有する、
請求項２に記載の装置。
【請求項４】
複数の冷却流路は、前記コアを通って第１の方向に延びており、
前記セグメントは、前記コアを通る第２の方向に追加の冷却流路を形成するようなギャップを含む、
請求項１に記載の装置。
【請求項５】
前記コアの少なくとも１つの面には、溝が設けられており、
該溝は、前記コアを通って流れる冷却媒体の方向に整列される、
請求項１に記載の装置。
【請求項６】
前記コイル組立体は、少なくとも１つの絶縁スペーサーをさらに有しており、
該少なくとも１つの絶縁スペーサーは、複数の冷却流路を有しており、
該複数の冷却流路は、前記コイル組立体を通して冷却媒体を輸送するように構成される、
請求項１に記載の装置。
【請求項７】
前記少なくとも１つの絶縁スペーサーは、
コアと巻線との間の絶縁を形成する１つ又は複数のスペーサーと、
巻線同士の間の絶縁を形成する１つ又は複数のスペーサーと、のうちの少なくとも１つを含む、
請求項６に記載の装置。
【請求項８】
システムであって、当該システムは：
冷却媒体を受け取るように構成された少なくとも１つの流入口と、冷却媒体を供給するように構成された少なくとも１つの流出口とを有するハウジングと；
前記ハウジング内で冷却される電子機器であって、該電子機器は、磁気装置を有しており、該磁気装置は、
可変電流を受け取るように構成された少なくとも１つの巻線を有するコイル組立体、
複数のセグメントを含むコアであって、少なくとも１つの巻線が、セグメントの一部に巻回されており、且つ磁束を発生するように構成される、コア、
前記コイル組立体又はコアを冷却するために、前記コイル組立体又はコアを通して冷却媒体を輸送するように構成された少なくとも１つの冷却流路を有する、電子機器と；
を有する、
システム。
【請求項９】
前記ハウジング及び電子機器に接続された絞り機構プレートをさらに有しており、該絞り機構プレートは、前記少なくとも１つの流入口から前記電子機器を介して前記少なくとも１つの流出口に、冷却媒体を強制的に送り込むように構成される、
請求項８に記載のシステム。
【請求項１０】
前記コアのセグメントの部分は、前記コアを通る複数の冷却流路を形成するために互いに分離されており、
前記複数の冷却流路は、前記コアを通して冷却媒体を輸送するように構成される、
請求項８に記載のシステム。
【請求項１１】
複数の冷却流路は、前記コアを通って第１の方向に延びており、
前記セグメントは、前記コアを通る第２の方向に追加の冷却流路を形成するようなギャップを含む、
請求項８に記載のシステム。
【請求項１２】
前記少なくとも１つの冷却流路は、（ｉ）前記セグメントの少なくとも一部を通る第１の冷却流路と、（ｉｉ）前記セグメントの少なくとも一部の外面に沿った第２の冷却流路とを有しており、
前記システムは、第１及び第２の冷却流路を通る冷却媒体を循環させるように構成された複数の冷却ループを含む、
請求項８に記載のシステム。
【請求項１３】
前記コアの少なくとも１つの面には、溝が設けられており、
該溝は、前記コアを通って流れる冷却媒体の方向に整列される、
請求項８に記載のシステム。
【請求項１４】
前記コイル組立体は、少なくとも１つの絶縁スペーサーをさらに有しており、
該少なくとも１つの絶縁スペーサーは、複数の冷却流路を有しており、
該複数の冷却流路は、前記コイル組立体を通して冷却媒体を輸送するように構成される、
請求項８記載のシステム。
【請求項１５】
前記少なくとも１つの絶縁スペーサーは、
コアと巻線との間の絶縁を形成する１つ又は複数のスペーサーと、
巻線同士の間の絶縁を形成する１つ又は複数のスペーサーと、のうちの少なくとも１つを含む、
請求項１４に記載のシステム。
【請求項１６】
方法であって、当該方法は：
可変電流を受け取るように構成された少なくとも１つの巻線を含むようなコイル組立体を形成するステップと；
複数のセグメントを含むコアを形成するステップであって、前記少なくとも１つの巻線は、前記セグメントの一部に巻回されており、且つ磁束を発生するように構成される、形成するステップと；を含み、
前記コイル組立体又はコアは、該コイル組立体又はコアを冷却するために、前記コイル組立体又はコアを通して冷却媒体を輸送するように構成された少なくとも１つの冷却流路を含む、
方法。
【請求項１７】
前記コアのセグメントの部分は、前記コアを通る複数の冷却流路を形成するように互いに分離されており、
前記複数の冷却流路は、前記コアを通して冷却媒体を輸送するように構成される、
請求項１６に記載の方法。
【請求項１８】
複数の冷却流路は、前記コアを通って第１の方向に延びており、
前記セグメントは、前記コアを通る第２の方向に追加の冷却流路を形成するようなギャップを含む、
請求項１６に記載の方法。
【請求項１９】
前記少なくとも１つの冷却流路は、（ｉ）前記セグメントの少なくとも一部を通る第１の冷却流路と、（ｉｉ）前記セグメントの少なくとも一部の外面に沿った第２の冷却流路とを有しており、
前記方法は、第１及び第２の冷却流路を通して冷却媒体を循環させるように構成された複数の冷却ループに第１及び第２の冷却流路を結合するステップをさらに含む、
請求項１６に記載の方法。
【請求項２０】
前記コイル組立体は、少なくとも１つの絶縁スペーサーをさらに有しており、
該少なくとも１つの絶縁スペーサーは、複数の冷却流路を含んでおり、
該複数の冷却流路は、前記コイル組立体を通して冷却媒体を輸送するように構成される、
請求項１６に記載の方法。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
機械本体の動きを制御するための方法であって、当該方法は：
機械本体の所望の動きを同定するような所望の動き情報を受け取るステップであって、前記機械本体は、第１数の自由度を有する、受け取るステップと；
受け取った所望の動き情報を運動学モデルに適用することにより複数の指令を生成するステップであって、前記運動学モデルは、第１数の自由度よりも大きい第２数の自由度を有しており、各指令は、第２数の自由度のうちの対応する１つを制御するように構成されている、生成するステップと；
前記機械本体の第１数の自由度を制御するのに使用される前記複数の指令のサブセットを送信するステップと；を含む、
方法。
【請求項２】
前記指令のサブセットを前記機械本体に関連するアクチュエータに送信することにより、前記機械本体の複数の自由度を制御するステップをさらに含む、
請求項１に記載の方法。
【請求項３】
同定された指令のサブセットの各指令は、前記機械本体の対応する自由度に関連するアクチュエータに通信される、
請求項２に記載の方法。
【請求項４】
前記複数の指令のサブセットを送信するステップは、生成された複数の指令のうちの少なくともいくつかを破棄するステップを含む、
請求項１に記載の方法。
【請求項５】
前記所望の動きは、前記機械本体の所望の向きと前記機械本体の所望の速度との１つ又は複数を含む、
請求項１に記載の方法。
【請求項６】
前記機械本体の所望の動きを同定するための情報は、第２数の自由度のそれぞれについての所望の動きを同定するような情報を含む、
請求項１に記載の方法。
【請求項７】
前記所望の動き情報を受け取るステップは、第１ソースからの操作情報を受信するステップと、第２ソースからのゼロ空間を利用するための再構成情報を受信するステップとを含む、
請求項１に記載の方法。
【請求項８】
機械システムであって、当該機械システムは：
第１数の自由度を有するリンク機構アセンブリと；
前記リンク機構アセンブリに結合された複数のアクチュエータであって、各アクチュエータは、前記リンク機構アセンブリの第１数の自由度の対応する１つを制御するように作動可能である、アクチュエータと；
前記アクチュエータに結合されたプロセッサであって、該プロセッサは、第１数の自由度よりも大きい第２数の自由度の所望の動きを同定する情報に基づいて、前記複数のアクチュエータのうちの少なくとも１つを作動させるための運動コマンドを生成するように作動可能である、
機械システム。
【請求項９】
第２数の自由度は、前記リンク機構アセンブリの要素のヨー、ピッチ、及びロール運動を含む、
請求項８に記載の機械システム。
【請求項１０】
第１数の自由度は、前記リンク機構アセンブリの前記要素のヨー、ピッチ、及びロール運動の少なくとも１つを除外する、
請求項９に記載の機械システム。
【請求項１１】
ユーザ入力に基づいて、第２数の自由度の所望の動きを同定するような情報を提供するための遠隔コンソールをさらに有する、
請求項８に記載の機械システム。
【請求項１２】
前記リンク機構アセンブリは、複数のリンクを含んでおり、リンクのペアは、複数の関節のうちの対応する１つによって一緒に機械的に結合されており、各関節は、前記複数のアクチュエータのうちのいずれかによって作動される、
請求項８に記載の機械システム。
【請求項１３】
前記リンク機構アセンブリに結合されたツールをさらに有しており、該ツールは、第１数の自由度以下のエンドエフェクタの自由度を有している、
請求項８に記載の機械システム。
【請求項１４】
前記プロセッサによって実行されるときに、該プロセッサによって前記運動コマンドを生成するような、内部に記憶された指令を有するコンピュータ可読記憶媒体をさらに有する、
請求項８に記載の機械システム。
【請求項１５】
前記指令は、受け取った所望の動き情報を運動学モデルに適用することにより、前記運動コマンドを生成するように構成されており、前記運動学モデルは、第２数の自由度を有しており、各指令は、前記リンク機構アセンブリの第１数の自由度を制御するように、複数の指令のサブセットをアクチュエータに送信することによって、第２数の自由度の対応する１つを制御するように構成されている、
請求項１４に記載の機械システム。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
所定のクエリーにより表示をフィルタリングするためのコンピューティングデバイス上で実行される方法であって、
ユーザーに関連付けられるアクセス権に基づいて、前記ユーザーに提供する少なくとも１つの表示を決定するステップと、
前記少なくとも１つの表示と１つ又は複数の追加の表示との間で決定される共通の要素に基づいて、前記ユーザーに提供する前記１つ又は複数の追加の表示を決定するステップと、
フィルタークエリーを構成するために、ユーザーインターフェイスを介して、前記少なくとも１つの表示及び前記１つ又は複数の追加の表示を前記ユーザーに提供するステップであって、前記ユーザーは前記フィルタークエリーを編集することを可能にされる、ステップと、
前記ユーザーインターフェイスを介して、前記ユーザーから前記フィルタークエリーを受け取るステップと、
前記ユーザーインターフェイスを介して、前記少なくとも１つの表示及び前記１つ又は複数の追加の表示から前記ユーザーによって選択された表示を受け取るステップと、
受け取られた前記表示と関係のない表示及び構造を含むように前記ユーザーが前記フィルタークエリーを編集したことの検出に応答して、前記フィルタークエリーを無効にするステップと、
そうでなければ、
前記フィルタークエリーの構造の抽出を引き起こすのに十分な基準を決定するために、前記表示を評価するステップであって、前記基準は、ユーザーの資格情報及び前記表示に対するユーザーのアクセス権を含む、ステップと、
抽出された前記フィルタークエリーの構造及び前記表示を組み合わせて、元の表示結果の代わりにフィルタリングされた表示結果を生成するステップと
を含む方法。
【請求項２】
前記ユーザーが前記表示からのデータを要求する場合に前記表示がフィルタリングされるように、前記フィルタークエリーを前記ユーザーから受け取られた前記表示と関連付けるステップ
をさらに含む請求項１に記載の方法。
【請求項３】
直接的な関係及び間接的な関係のうちの少なくとも１つによって前記元の表示に関連付けられる他の表示について、前記フィルタークエリーを適用するステップ
をさらに含む請求項２に記載の方法。
【請求項４】
前記他の表示について前記フィルタークエリーを再帰的に適用するステップ
をさらに含む請求項３に記載の方法。
【請求項５】
要求のために前記表示とともに前記フィルタークエリーの使用を前記ユーザーが選択することを可能にするステップと、
前記フィルタークエリーによって前記元の表示結果をフィルタリングするステップと
をさらに含む請求項１に記載の方法。
【請求項６】
前記フィルタリングされた表示結果を得るために、アプリケーションが前記フィルタークエリーを１つ又は複数の表示に適用することを可能にするステップ
をさらに含む請求項１に記載の方法。
【請求項７】
直接的な関係及び間接的な関係のうちの少なくとも１つによって前記元の表示に関連付けられる他の表示について、前記フィルタークエリーを適用するステップ
をさらに含む請求項６に記載の方法。
【請求項８】
前記他の表示について前記フィルタークエリーを再帰的に適用するステップ
をさらに含む請求項７に記載の方法。
【請求項９】
共通の要素に従って前記フィルタークエリーを前記表示に関連付けるステップと、
前記共通の要素を使用して前記フィルタークエリーを構築するステップと
をさらに含む請求項１に記載の方法。
【請求項１０】
所定のクエリーにより表示をフィルタリングするためのコンピューティングデバイスであって、
命令を格納するように構成されたメモリーと、
前記メモリーに結合され、前記メモリーに格納された前記命令とともにアプリケーションを実行するプロセッサーと
を備え、前記アプリケーションは、
ユーザーに関連付けられるアクセス権に基づいて、前記ユーザーに提供する少なくとも１つの表示を決定し、
前記少なくとも１つの表示と１つ又は複数の追加の表示との間で決定される共通の要素に基づいて、前記ユーザーに提供する前記１つ又は複数の追加の表示を決定し、
フィルタークエリーを構成するために、ユーザーインターフェイスを介して、前記少なくとも１つの表示及び前記１つ又は複数の追加の表示を前記ユーザーに提供し、前記ユーザーは前記フィルタークエリーを編集することを可能にされ、
前記ユーザーから前記フィルタークエリーを受け取り、
前記ユーザーから表示を受け取り、
受け取られた前記表示と関係のない表示及び構造を含むように前記ユーザーが前記フィルタークエリーを編集したことの検出に応答して、前記フィルタークエリーを無効にし、
そうでなければ、
前記フィルタークエリー及び前記表示を組み合わせて、元の表示結果の代わりにフィルタリングされた表示結果を生成し、
前記ユーザーが前記表示からのデータを要求する場合に前記表示がフィルタリングされるように、前記フィルタークエリーを前記ユーザーから受け取られた前記表示と関連付け、
前記フィルタリングされた表示結果を、対応する表示へのアクセスを求める１人又は複数の他のユーザーに提供し、前記フィルタリングされた表示は、前記ユーザーからの継承された許可を有する前記１人又は複数のユーザーに提供される
ように構成されるコンピューティングデバイス。
【請求項１１】
前記アプリケーションは、
再帰的に、直接的な関係及び間接的な関係のうちの少なくとも１つによって前記元の表示に関連付けられる他の表示について、前記フィルタークエリーを適用する
ようにさらに構成される請求項１０に記載のコンピューティングデバイス。
【請求項１２】
前記アプリケーションは、
前記他の表示について前記フィルタークエリーを再帰的に適用する
ようにさらに構成される請求項１１に記載のコンピューティングデバイス。
【請求項１３】
前記アプリケーションは、
要求のために前記表示とともに前記フィルタークエリーの使用を前記ユーザーが選択することを可能にし、
前記フィルタークエリーによって前記元の表示結果をフィルタリングする
ようにさらに構成される請求項１０に記載のコンピューティングデバイス。
【請求項１４】
前記アプリケーションは、
前記フィルタリングされた表示結果を得るために、別のアプリケーションが前記フィルタークエリーを１つ又は複数の表示に適用することを可能にする
ようにさらに構成される請求項１０に記載のコンピューティングデバイス。
【請求項１５】
前記アプリケーションは、
再帰的に、直接的な関係及び間接的な関係のうちの少なくとも１つによって前記元の表示に関連付けられる他の表示について、前記フィルタークエリーを適用する
ようにさらに構成される請求項１４に記載のコンピューティングデバイス。
【請求項１６】
前記アプリケーションは、
前記表示をホストするデータストアから前記フィルタークエリーについてのメタデータを取得する
ようにさらに構成される請求項１０に記載のコンピューティングデバイス。
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
ユーザの感情状態に対応する信号を受け取るように構成されたマイクロコントローラと、
前記ユーザの前記感情状態に基づいて、ある形状に変化するように、前記マイクロコントローラによって制御されるように構成された可撓性材料と、
を備え、
前記可撓性材料は、加熱されると収縮する電線と組み合わされる布地を含み、前記マイクロコントローラは、前記電線が加熱または冷却されることによって前記布地の形状を変化させるように構成され、
前記可撓性材料は、前記ユーザの前記感情状態がリラックスしていることを示す信号を受信したことに応答して平坦な形状に変化するように、前記マイクロコントローラによって制御されるように構成され、
前記可撓性材料は、前記ユーザの前記感情状態がストレスを感じていることを示す信号を受信したことに応答して皺の寄った形状に変化するように、前記マイクロコントローラによって制御されるように構成される、気分作動装置。
【請求項２】
前記可撓性材料が、前記ユーザの前記感情状態を示す形状に変化することによって、前記ユーザの前記感情状態に基づいて、ある形状に変化するように構成される、請求項１に記載の気分作動装置。
【請求項３】
前記可撓性材料が、前記ユーザの前記感情状態を視覚的に反映する形状に変化することによって、前記ユーザの前記感情状態に基づいて、ある形状に変化するように構成される、請求項１に記載の気分作動装置。
【請求項４】
前記気分作動装置が、前記電線に接続される電源をさらに備え、前記マイクロコントローラが、前記電源をオンにすることによって前記電線を加熱させ、前記電源をオフにすることによって前記電線を冷却させる、請求項１に記載の気分作動装置。
【請求項５】
ユーザの現在の気分に対応する気分情報を受け取ることと、
前記気分情報に少なくとも部分的に基づいて、前記ユーザの感情状態を判定することと、
前記ユーザの前記感情状態に基づいて、気分作動布地を反応させることであって、
前記ユーザの前記感情状態がリラックスしているという判定に応答して前記気分作動布地を平坦な形状に変化させることと、
前記ユーザの前記感情状態がストレスを感じているという判定に応答して前記気分作動布地を皺の寄った形状に変化させることと、
を有することと、
を含む、方法。
【請求項６】
前記気分作動布地が、前記ユーザの前記感情状態を示す形状に変化することによって反応するように制御される、請求項５に記載の方法。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
ガラス管を熱軟化状態で閉鎖する方法であって、
ガラス管（２）を、該ガラス管（２）の端部分（３）の近傍における切離し箇所（４）において軟化させるステップと、
前記ガラス管（２）を、予め設定された速度で該ガラス管の長手方向軸線に対して横方向に、引出し装置（１１）に沿って搬送するステップと、
前記端部分（３）が前記引出し装置（１１）を用いて前記切離し箇所から引き出されて、前記ガラス管が前記切離し箇所において溶融閉鎖される間に、前記ガラス管をその長手方向軸線を中心にして回転させるステップと、を有しており、
前記引出し装置（１１）を回動不能にするか、又は前記ガラス管の角速度とは異なる角速度で回転させ、
前記端部分（３）が前記切離し箇所から引き出される間に、前記引出し装置（１１）を前記ガラス管（２）の運動に対応させて、前記長手方向軸線に対して横方向に移動させ、
前記ガラス管を、少なくとも１つの位置固定の支持ストリップ（６）上における転動によって、前記長手方向軸線を中心にして回転させて、回転前進運動で前記長手方向軸線に対して横方向に前記引出し装置に沿って搬送する
ことを特徴とする、ガラス管を熱軟化状態で閉鎖する方法。
【請求項２】
前記支持ストリップ（６）は、斜め上方に傾けられている、請求項１記載の方法。
【請求項３】
前記引出し装置（１１）に少なくとも１つの駆動装置（１４，１５）が対応配置されていて、該駆動装置がそれぞれ、前記長手方向軸線の方向における前記ガラス管の運動及び／又は前記長手方向軸線に対して横方向の運動に対応する、前記引出し装置の引出し軌道を確定する、請求項１記載の方法。
【請求項４】
前記引出し軌道を、制御装置（１８）を用いて、前記ガラス管の直径及び／又は前記長手方向軸線に対して横方向の前記ガラス管の運動及び／又は閉鎖される前記ガラス管の型式に関連して制御する、請求項３記載の方法。
【請求項５】
前記ガラス管の直径及び／又は前記長手方向軸線に対して横方向の前記ガラス管の運動及び／又は閉鎖される前記ガラス管の型式を、センサ（１７）によって検出し、前記制御装置（１８）は、検出された、前記ガラス管の直径及び／又は前記長手方向軸線に対して横方向の前記ガラス管の運動及び／又は閉鎖される前記ガラス管の型式に基づいて、前記引出し軌道を制御する、請求項４記載の方法。
【請求項６】
前記切離し箇所（４）の近傍における前記ガラス管の閉鎖される端部分の形状に、前記引出し装置（１１）に後置されたブローノズル（１９）を用いて、影響を及ぼす、請求項１記載の方法。
【請求項７】
前記切離し箇所で軟化された領域においてより強い狭窄作用を生ぜしめるために、前記ガラス管がその長手方向軸線を中心にしてさらに回転する間に、前記引出し装置（１１）は前記ガラス管（２）の前記端部分（３）の、該ガラス管の長手方向軸線を中心にした回転を停止させる、請求項１記載の方法。
【請求項８】
ガラス管を熱軟化状態で閉鎖する装置であって、
前記ガラス管（２）の１つの端部分（３）を軟化させるための加熱装置（７）と、
該加熱装置に沿って前記ガラス管を該ガラス管の長手方向軸線に対して横方向に搬送するための搬送装置（５）と、
前記ガラス管の、前記加熱装置（７）によって軟化された端部分（３）を引き出すための引出し装置（１１）と、が設けられており、
前記搬送装置は、前記加熱装置（７）に沿った前記ガラス管の搬送中に該ガラス管をその長手方向軸線を中心にして回転させるように設計されており、
軟化した前記端部分（３）を前記ガラス管から引き出して、該ガラス管を切離し箇所において溶融閉鎖するために、前記引出し装置（１１）は回動不能に配置されているか、又は前記ガラス管の角速度とは異なる角速度で回転するように構成されており、
前記搬送装置は、前記ガラス管を前記加熱装置（７）に沿って移動させるために働く、前記ガラス管に部分的に接触する複数のコンタクトピン（５）と、少なくとも１つの位置固定の支持ストリップ（６）と、を有しており、該支持ストリップ上に前記運動させられるガラス管が支持されていて、該支持ストリップ上における転動によって長手方向軸線を中心にして回転させられ、これにより前記ガラス管は、その長手方向軸線に対して横方向に回転前進運動させられて前記引出し装置に沿って搬送させられる
ことを特徴とする、ガラス管を熱軟化状態で閉鎖する装置。
【請求項９】
前記支持ストリップ（６）は、斜め上方に傾けられている、請求項８記載の装置。
【請求項１０】
前記端部分（３）が前記切離し箇所から引き出される間に、前記引出し装置（１１）を前記ガラス管（２）の運動に対応させて前記長手方向軸線に対して横方向に運動させるために、前記引出し装置（１１）に、少なくとも１つの駆動装置（１４，１５）が対応配置されており、該駆動装置はそれぞれ制御装置（１８）によって制御されて、前記引出し装置が引出し軌道に沿って前記ガラス管の運動に対応して前記長手方向軸線の方向及び／又は前記長手方向軸線に対して横方向に移動させられるようになっている、請求項８記載の装置。
【請求項１１】
前記制御装置（１８）は前記引出し軌道を、前記ガラス管の直径及び／又は前記ガラス管の、長手方向軸線に対して横方向の運動及び／又は閉鎖される前記ガラス管の型式に関連して制御する、請求項１０記載の装置。
【請求項１２】
前記ガラス管の直径及び／又は前記ガラス管の、長手方向軸線に対して横方向の運動及び／又は閉鎖される前記ガラス管の型式を検出するために、センサ（１７）が設けられており、これにより前記制御装置（１８）は、前記ガラス管の検出された直径及び／又は前記ガラス管の、長手方向軸線に対して横方向の検出された運動及び／又は閉鎖される前記ガラス管の検出された型式に基づいて、前記引出し軌道を制御する、請求項１１記載の装置。
【請求項１３】
前記切離し箇所で軟化された領域においてより強い狭窄作用を生ぜしめるために、前記ガラス管がその長手方向軸線を中心にしてさらに回転する間に、前記ガラス管（２）の前記端部分（３）の、該ガラス管の長手方向軸線を中心にした回転を停止させるように、前記引出し装置（１１）は設計されているか又は制御されている、請求項８記載の装置。
【請求項１４】
前記切離し箇所（４）の近傍で前記ガラス管の閉鎖される端部分の形状に、さらに影響を及ぼすために、ブローノズル（１９）が、前記引出し装置（１１）に後置されて設けられている、請求項８記載の装置。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
コーティング可能な組成物の作製方法であって、
水性液媒中に分散されたシリカナノ粒子を含む第１の組成物を提供する工程であって、前記シリカナノ粒子が２０ナノメートル以下の平均粒径を有し、前記第１の組成物が６より大きいｐＨを有する、工程、
無機酸を用いて前記第１の組成物を４以下のｐＨまで酸性化して前記コーティング可能な組成物を提供する工程であって、前記コーティング可能な組成物が凝集シリカナノ粒子を含む、工程、及び
前記コーティング可能な組成物に少なくとも１種の金属化合物を溶解する工程であって、前記金属化合物が、ｎ＋の電荷を有する金属カチオンを含み、ｎが２以上の整数を表す、工程、を含む、方法。
【請求項２】
請求項１に記載の方法に従って作製されたコーティング可能な組成物。
【請求項３】
耐摩耗性物品の作製方法であって、
ａ）水性液媒中に分散されたシリカナノ粒子を含む第１の組成物を提供する工程であって、前記シリカナノ粒子が２０ナノメートル以下の平均粒径を有し、前記第１の組成物が６より大きいｐＨを有する、工程、
ｂ）無機酸を用いて前記組成物を４以下のｐＨまで酸性化して第２の組成物を提供する工程、
ｃ）前記第２の組成物に少なくとも１種の金属化合物を溶解してコーティング可能な組成物を提供する工程であって、前記金属化合物が、ｎ＋の電荷を有する金属カチオンを含み、ｎが２以上の整数を表す、工程、
ｄ）前記コーティング可能な組成物の層を基材の表面にコーティングする工程、及び
ｅ）前記コーティング可能な組成物を少なくとも部分的に乾燥して、耐摩耗性の層を提供する工程、を含む、方法。
【請求項４】
請求項３に記載の方法に従って作製された耐摩耗性物品。
【請求項５】
金属カチオンを含有する非晶質のシリカマトリックスを含む耐摩耗性組成物であって、前記非晶質のシリカマトリックスが、平均粒径が８ナノメートル以下の粒径分布を有する相互接続した球状シリカナノ粒子を含み、前記金属カチオンがｎ＋の電荷を有し、ｎが２以上の整数を表し、前記金属カチオンの大半が前記非晶質のシリカマトリックス中に個別に分散されており、前記金属カチオンが前記組成物の０．５〜２０モルパーセントを構成する、耐摩耗性組成物。
【請求項６】
基材の表面に配置された非晶質の耐摩耗性組成物の層を備える耐摩耗性物品であって、前記非晶質の耐摩耗性組成物が、金属カチオンを含有するシリカマトリックスを含み、前記シリカマトリックスが、平均粒径が８ナノメートル以下の粒径分布を有する相互接続した球状シリカナノ粒子を含み、前記金属カチオンが、ｎ＋の電荷を有し、ｎが２以上の整数を表し、前記金属カチオンの大半が前記シリカマトリックス中に個別に分散されており、前記金属カチオンが前記非晶質の耐摩耗性組成物の０．５〜２０モルパーセントを構成する、耐摩耗性物品。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
国際ゼオライト学会（Ｉｎｔｅｒｎａｔｉｏｎａｌ  Ｚｅｏｌｉｔｅ  Ａｓｓｏｃｉａｔｉｏｎ）によって定義されるとおりＭＣＭ−４８骨格型の三次元チャネル構造を有し、さらなる特性として３マイクロメートル〜１０マイクロメートルの範囲の長さおよび３００ナノメートル〜１０マイクロメートルの範囲の幅を有するが、但し、長さ対幅の比率が１〜３００の範囲の縦横比の特徴を表し、形態が実質的に円筒形であることを条件とし、グラム当たり１３００平方メートル〜グラム当たり１５００平方メートルのブルナウアー−エメット−テラー表面積、２０オングストローム〜２６オングストロームの平均細孔直径、およびグラム当たり０．７立方センチメートル〜グラム当たり１．１立方センチメートルの範囲の平均細孔容積をさらに有する、メソポーラスシリカを含有する組成物。
【請求項２】
前記メソポーラスシリカが、４マイクロメートル〜１０マイクロメートルの長さ、５００ｎｍ〜１０マイクロメートルの幅、５〜３００の縦横比、グラム当たり１３５０平方メートル〜グラム当たり１４５０平方メートルのブルナウアー−エメット−テラー表面積、２２オングストローム〜２５オングストロームの平均細孔直径、グラム当たり０．７５立方センチメートル〜グラム当たり０．９立方センチメートルの平均細孔容積、またはそれらの組み合わせからなる群から選択される少なくとも１つの特性によって特徴付けられる、請求項１に記載の組成物。
【請求項３】
前記メソポーラスシリカが、カールした形態をさらに示す、請求項１または２に記載の組成物。
【請求項４】
メソポーラスシリカを調製するためのプロセスであって、出発成分として
（１）水酸化テトラメチルアンモニウム、水酸化テトラエチルアンモニウム、水酸化テトラプロピルアンモニウム、およびそれらの組み合わせからなる群から選択される第１の構造指向テンプレートと、
（２）水と、
（３）臭化セチルトリメチルアンモニウム臭化セチルトリメチルアンモニウム、塩化ヘキサデシルトリメチルアンモニウム、水酸化ヘキサデシルトリメチルアンモニウム水和物、ｐ−トルエンスルホン酸ヘキサデシルトリメチルアンモニウム、ビス−スルホン酸ヘキサデシルトリメチルアンモニウム、およびそれらの組み合わせからなる群から選択される第２の構造指向テンプレートと、
（４）５，０００ダルトン〜２０，０００ダルトンの範囲の重量平均分子量を有するポロキサマーからなる群から選択される形態指向テンプレートと、
（５）シリカ源と、
を、アルコール溶媒の実質的不在下で、
メソポーラスシリカが三次元チャネル構造を有し、実質的に円筒形の形態が形成されるような条件下で、接触させることを含む、プロセス。
【請求項５】
前記第１の構造指向テンプレートが、水酸化テトラメチルアンモニウムであり、
前記第２の構造指向テンプレートが、臭化セチルトリメチルアンモニウムであり、
前記形態指向テンプレートが、成分
（ａ）ポリ（エチレングリコール）−ポリ（プロピレングリコール）−ポリ（エチレングリコール）に基づく、５，８００ダルトンの分子量を有する非イオン性トリブロックコポリマーと、
（ｂ）中央疎水性ブロックおよび１２，５００ダルトンの分子量を有する親水性非イオン性の界面活性剤ポリオールと、の組み合わせである、請求項４に記載のプロセス。
【請求項６】
前記（ａ）および（ｂ）の成分が、１．６：１〜２５００：１の範囲の（ａ）：（ｂ）のモル比である、請求項４または５に記載のプロセス。
【請求項７】
１モルのシリカに基づいて、第１の構造指向テンプレートの量が、０．１モル〜０．５モルの範囲であり、水の量が、２０モル〜８０モルの範囲であり、第２の構造指向テンプレートの量が、０．２５モル〜０．５モルの範囲であり、形態指向テンプレートの量が、０．０００１モル〜０．７モルの範囲である、請求項４〜６のいずれかに記載のプロセス。
【請求項８】
前記出発成分が、（１）が最初で、（５）が最後の（１）〜（５）の順序で組み合わされ、さらに、前記メソポーラスシリカが形成される間に、前記出発成分が、毎分３００回転数〜毎分７００回転数の範囲の速度で撹拌される、請求項４〜７のいずれかに記載のプロセス。
【請求項９】
前記条件が、２５℃〜１９０℃の範囲の温度、５時間〜１００時間の範囲の時間、１０１キロパスカル〜１０００キロパスカルの範囲の圧力、およびそれらの組み合わせからなる群から選択される、請求項４〜８のいずれかに記載のプロセス。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
殺虫剤、除草剤、殺菌剤、化学肥料、薬物、及び毒素の割合を低減するように、バラスト水、排蒸気、空調装置からの凝縮水、飲料水、又は廃水を処理する方法であって、
前記バラスト水、前記排蒸気、前記凝縮水、前記飲料水、又は前記廃水を反応室に流入させるステップと、
前記バラスト水、前記排蒸気、前記凝縮水、前記飲料水、又は前記廃水に超音波を印加するステップと、
前記液体に超音波を印加している間、前記バラスト水、前記排蒸気、前記凝縮水、前記飲料水、又は前記廃水にUV光線を照射するステップと、
超音波を印加している間かつUV光線を照射している間、前記バラスト水、前記排蒸気、前記凝縮水、前記飲料水、又は前記廃水に気体を通して流すステップと、
処理された前記液体を前記反応室から流出させるステップと、
を含む、方法。
【請求項２】
前記気体は空気であることを特徴とする、請求項1に記載の方法。
【請求項３】
前記気体は、希ガス又は希ガスを含む混合ガスであることを特徴とする、請求項1に記載の方法。
【請求項４】
前記気体は、極微細に分散した気泡として前記液体を通って流れることを特徴とする、請求項1〜3のいずれか1項に記載の方法。
【請求項５】
前記気体は並流で前記液体を通って流れることを特徴とする、請求項1〜4のいずれか1項に記載の方法。
【請求項６】
前記液体は前記反応室を無秩序に通って流れることを特徴とする、請求項1〜5のいずれか1項に記載の方法。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
バラスト水を処理する装置（10）であって、
ハウジング（20）であって、該ハウジング（20）の上面に軸方向に配置されるバラスト水入口（30）と、該ハウジング（20）の下面に配置されるバラスト水出口（40）とを備える、ハウジング（20）と、
小片を該装置（10）から排出する、前記ハウジングの前記下面に配置される小片出口（60）と、小片が減らされたバラスト水を導く出口（70）とを備える、前記バラスト水入口（30）に連結する液体サイクロン（50）と、
前記液体サイクロン（50）を取り囲むフィルター（80）であって、該フィルター（80）は、液体サイクロン（50）とフィルター（80）との間に構成される中間空間と、フィルター（80）とハウジング（20）との間に構成される外側空間とに該装置（10）を区分し、前記中間空間は、前記液体サイクロン（50）の前記小片が減らされたバラスト水を導く出口（70）と連通している、フィルター（80）と、
前記外側空間及び／又は前記フィルター（80）に作用する超音波を発生させる手段（90）と、
前記外側空間及び／又は前記フィルター（80）に作用するUV光を発生させる手段（100）と、
該装置（10）の前記外側空間に気体を導入する手段と、
を備える、装置。
【請求項２】
請求項１に記載の装置（10）であって、前記バラスト水入口（30）と、前記液体サイクロン（50）と、該液体サイクロン（50）を取り囲む前記フィルター（80）と、前記外側空間及び／又は前記フィルター（80）に作用する超音波を発生させる前記手段（90）と、前記外側空間及び／又は前記フィルター（80）に作用するUV光を発生させる前記手段（100）とは、同心に配置されていることを特徴とする、請求項1に記載の装置。
【請求項３】
請求項１又は２に記載の装置（10）であって、前記中間空間と連通する、フィルター残渣を該装置（10）から排出するフィルター残渣出口（110）を特徴とする、請求項１又は２に記載の装置。